(57)【特許請求の範囲】
【請求項１】
下地上に、平板部の左右側縁を同方向へ折り曲げ、更にその先端を内側に折り返して側縁成形部を設けて山側外装板、谷側外装板とし、交互に配置させることにより山部と谷部とが連続して形成される外装構造であって、
前記山側外装板の平板部の裏面に弾性を有する裏貼り材を添設させると共に該裏貼り材を左右に隣り合う前記谷側外装板間に配した断熱材に圧接させ、前記山側外装板の下向き側縁成形部の上向き折返し部分を、前記谷側外装板の上向き側縁成形部の下向き折返し部分に係合させたことを特徴とする外装構造。
【請求項２】
その下端に下地への固定部を有する起立部と、該起立部の上端を外側へ折返した折返し部と、を有する保持部材を下地上に固定し、谷側外装板の上向き側縁成形部の下向き折返し部分が前記保持部材の折返し部の内側に係合していることを特徴とする請求項１に記載の外装構造。
【発明の詳細な説明】
【技術分野】
【０００１】
本発明は、ビス穴からの雨水の浸入や毛細管現象による雨水の浸入を生ずることなく、施工性にも優れていることは勿論、負圧作用時の強度や水密性にも十分に配慮した外装構造に関する。
【背景技術】
【０００２】
従来の「大和葺き」と称される屋根は、山と谷が交互に連続する葺き方であり、その固定方法としては、第１の方法として、後述する図５（ａ）及び図６（ａ）に示す側方から固定ビスを打ち込む方法と、第２の方法として、図５（ｂ）及び図６（ｂ）に示すハゼ締めにて固定する方法の２種類が一般的に採用されている。
【発明の概要】
【発明が解決しようとする課題】
【０００３】
しかしながら、前記第１の方法の問題点としては、固定ビスのビス穴からの雨水の浸入の問題や、強風及び経年劣化によるビスの抜けがある。
また、前記第２の方法の問題点としては、ハゼ締めによる毛細管現象にて雨水が浸入する問題や、ハゼ締めすることにより施工に手間がかかる等が挙げられる。
【０００４】
さらに、前記第１の方法や前記第２の方法については、後述する図５及び図６の説明において詳述するが、やはり負圧作用時の強度や水密性については、全く配慮されていないものであった。
【０００５】
そこで、本発明は、「大和葺き」の屋根構造において、ビス穴からの雨水の浸入や毛細管現象による雨水の浸入を生ずることなく、施工性にも優れていることは勿論、負圧作用時の強度や水密性にも十分に配慮した外装構造を提供することを目的とする。
【課題を解決するための手段】
【０００６】
本発明は、上記に鑑み提案されたものであって、下地上に、平板部の左右側縁を同方向へ折り曲げ、更にその先端を内側に折り返して側縁成形部を設けて山側外装板、谷側外装板とし、交互に配置させることにより山部と谷部とが連続して形成される外装構造（即ち前記山側外装板の下向きの側縁成形部は、平板部の左右側縁を下向きに折り下げ、更にその下端を内側に折り返した上向き折返し部分を有し、前記谷側外装板の上向きの側縁成形部は、平板部の左右側縁を上向きに折り上げ、更にその上端を内側に折り返した下向き折返し部分を有する構成）であって、山側外装板の平板部の裏面に弾性を有する裏貼り材を添設させると共に該裏貼り材を左右に隣り合う前記谷側外装板間に配した断熱材に圧接させ、前記山側外装板の下向き側縁成形部の上向き折返し部分を、前記谷側外装板の上向き側縁成形部の下向き折返し部分に係合させたことを特徴とする外装構造に関するものである。
なお、以下の説明において、山側外装板の下向き側縁成形部の上向き折返し部分を「上ハゼ」、谷側外装板の上向き側縁成形部の下向き折返し部分を「下ハゼ」という。なお、後述する図示実施例では、下向き側縁成形部自体を「上ハゼ」、上向き成形部自体を「下ハゼ」と説明している。
【０００７】
また、本発明は、前記外装構造において、その下端に下地への固定部を有する起立部と、該起立部の上端を外側へ折返した折返し部と、を有する保持部材を下地上に固定し、谷側外装板の上向き側縁成形部の下向き折返し部分が前記保持部材の折返し部の内側に係合していることを特徴とする外装構造をも提案する。
【発明の効果】
【０００９】
本発明の外装構造は、上ハゼ、下ハゼの係合を採用しているため、ビス穴からの雨水の浸入やハゼ締めによる毛細管現象による雨水の浸入を生ずることない。また、断熱材に圧接された弾性を有する裏貼り材の弾性（反発力）を利用して係合させる構成であるため、外装板同士が強固に且つ安定に取り付けられるものとなり、施工性にも優れている。
さらに、山側外装板の裏面に断熱材を配設している場合には、断熱機能が付与されることは説明するまでもないが、特に山側外装板を断熱材の表面上に載置した状態で安定に保持部材への配設を行うことができる。
【００１０】
また、谷側外装板の上向き側縁成形部の下向き折返し部分を、山側外装板の下向き側縁成形部の上向き折返し部分に、面接触させて係合させた場合には、負圧がかかった際にも、山側外装板の上ハゼの先端が面接触を維持したまま（毛細管現象を防止した状態で）深く上方へ移動して谷側外装板の下ハゼと接近して接触するため、吹き込みが生ずる隙間がなくなり、吹き込みを防止でき、高い水密性を確保することができる。
【００１１】
また、係合部分の下方に上方が開放する空間が形成されている場合には、この空間が毛細管現象を防止する上、該空間が排水路として機能し、万が一浸入した雨水もこの排水路にて流下させることができる。
【００１２】
また、下向き折返し部分として更に内側に折り返した谷側当接面を、上向き折返し部分として更に内側に折り返した山側当接面に面接触させている場合には、前記係合部分の下方に毛細管現象を防止するために十分な空間を形成し易く、また負圧作用時における上ハゼの上方への移動が確実に且つ容易になる。
【００１３】
また、その下端に下地への固定部を有する起立部と、該起立部の上端を外側へ折返した折返し部と、を有する保持部材を下地上に固定し、谷側外装板の上向き側縁成形部の下向き折返し部分が前記保持部材の折返し部の内側に係合している場合には、前記下向き折返し部分が安定に位置規制され、この下向き折返し部分に対し、上側外装板の上向き折返し部分を安定に面接触させて強固に係合させることができる。
【図面の簡単な説明】
【００１５】
【図１】（ａ）本発明の外装構造の第１実施例を示す断面図（左半が取付中）、（ｂ）取付後の状態を示す断面図である。
【図２】（ａ）第１実施例の外装構造を示す断面図、（ｂ）それに用いた外装板の側縁成形部、保持部材を示す拡大断面図、（ｃ）山側外装板及び谷側外装板を示す断面図である。
【図３】（ａ）第１実施例の外装構造の側断面図、（ｂ）第１実施例の外装構造が下地に隣接して取り付けられている状態を示す断面図である。
【図４】（ａ）第１実施例の外装構造の雨水の浸入を防止する毛細管現象を防止する空間が形成される状態を示す拡大断面図、（ｂ）水の吹き込みを防止する効果を示す拡大断面図、（ｃ）負圧作用時の防水性能を示す拡大断面図である。
【図５】（ａ）従来のビス止め仕様の外装構造の水密性を示す断面図、（ｂ）従来のハゼ締め仕様の外装構造の水密性を示す断面図、（ｃ）その係合部分を拡大した断面図である。
【図６】（ａ）従来のビス止め仕様の外装構造の負圧作用時の取付強度を示す断面図、（ｂ）従来のビス止め仕様の外装構造の負圧作用時の取付強度を示す断面図である。
【発明を実施するための形態】
【００１６】
本発明の外装構造は、下地上に、平板部の左右側縁を同方向へ折り曲げ、更にその先端を内側に折り返して側縁成形部を設けて山側外装板、谷側外装板とし、交互に配置させることにより山部と谷部とが連続して形成される外装構造において、即ち前記山側外装板の下向きの側縁成形部は、平板部の左右側縁を下向きに折り下げ、更にその下端を内側に折り返した上向き折返し部分を有し、前記谷側外装板の上向きの側縁成形部は、平板部の左右側縁を上向きに折り上げ、更にその上端を内側に折り返した下向き折返し部分を有する構成であり、前記山側外装板の平板部の裏面に弾性を有する裏貼り材を添設させると共に該裏貼り材を左右に隣り合う前記谷側外装板間に配した断熱材に圧接させ、前記山側外装板の下向き側縁成形部の上向き折返し部分を、前記谷側外装板の上向き側縁成形部の下向き折返し部分に係合させた構成である。
【００１７】
山側外装板の平板部の裏面に添設する弾性を有する裏貼り材は、山側外装板の配設に際し、谷側外装材間に配設した断熱材と圧接することで、上方からの押圧によって厚みが薄肉化するが、押圧の解除により、厚みが復元して上方へ弾性回復する応力が作用する。
その際、まず上方からの押圧時には、山側外装板の左右側縁の下向き側縁成形部が弾性に抗して拡開状に外側へ広がる。
その後、その上向き折返し部分の先端が谷側外装板の上向き側縁成形部の下向き折返し部分の先端を越えた段階で、左右側縁の下向き側縁成形部が内側向きに閉じるように弾性回復するため、谷側外装板の上向き側縁部に対して外側から弾性的に嵌合する。
このような挙動は、仮に裏貼り材が存在しなくても、外装板を構成する金属面材の弾性により、ほぼ同様に行うことができる。しかし、本発明の外装構造のように、弾性を有する裏貼り材を山側外装板の裏面に介在させることにより、係合後にも、山側外装板を全体的に上方へ持ち上げる作用を果たすため、より安定な係合が行われる。また、このように裏貼り材の弾性を利用するので、裏貼り材自体は山側外装板の裏面に位置するため、表面側に露出することがないため、意匠性を低下させることもないし、裏貼り材の厚みや反発力が多少強くても、施工や外観に支障を生ずることもない。
【００１８】
このように山側外装板の裏面に貼り付ける裏貼り材は、弾性を有するものであれば、特にその材質や機能等を限定するものではないが、気密性等の各種の機能を有する裏貼り材を貼り付けることにより、以下の効果を奏することができる。
即ち裏貼り材として、弾性及び気密性を有する材料を用いることにより、仮に予期せぬ原因で係合部分からの雨水等の侵入が起こったとしても、前述のように上方が開放する空間を排水路として雨水を排水することができるが、この排水路の上では、山側外装板の裏貼り材が谷側外装板に接していて隙間がなく、内部に風が吹き抜ける経路を塞ぐことになる。このように、風の吹き抜ける経路を塞ぐことにより、風が谷側外装板のハゼを超えることがなく、吹き込みが防止される。
【００１９】
なお、このような裏貼り材としては、例えば弾性のみを有するものであれば、多種のフォーム材（発泡樹脂シート）が市販されているので、適宜に用いればよく、弾性及び気密性を有する裏貼り材としては、例えば硬質ウレタンフォーム等を用いることができる。
【００２０】
本発明に用いる外装板は、従来の「大和葺き」と称される屋根葺きに用いられるものであって、前述のように平板部の左右側縁を同方向へ折り曲げ、更にその先端を内側に折り返して側縁成形部を設けた構成であって、原則的には表裏逆に且つ交互に配置することにより同一形状の外装板を、山側外装板及び谷側外装板として用いてもよく、山側と谷側とを連続して形成するが、必ずしも両者を完全に一致させる必要はない。即ち山側外装板と谷側外装板とは、細部の構成まで同一のものを用いても、細部の構成が相違する構成のものを用いてもよい。また、その裏面には、各種裏貼り材を一体的に貼り付けたものでもよいし、特に山側外装板としては、その裏面に、弾性や気密性等の各種の機能を有する裏貼り材を貼り付けたものでもよい。
これらの外装板としては、弾性的に係合させることができる金属面材を原材料として好ましいが、硬質樹脂板でもよい。また化粧性（意匠性）を有する（化粧材を兼ねる）金属面材を用いてもよく、例えば面板部が平坦状、或いは凹凸状などの成型を施したものでもよい。
【００２１】
この外装板は、平板部の左右に側縁成形部を設けた構成であり、側縁成形部は、平板部の左右側縁を折り上げるか、折り下げ、更にその先端を内側に折り返した構成である。
即ち山側外装板では、左右側縁を折り下げ（＝下向き側縁成形部）、更にその下端を内側に折り返して上ハゼ（＝上向き折返し部分）とした構成となる。
また、谷側外装板では、左右側縁を折り上げ（＝上向き側縁成形部）、更にその上端を内側に折り返して下ハゼ（＝下向き折返し部分）とした構成となる。
なお、前述のように山側外装板の配設に際し、左右側縁の下向き側縁成形部が弾性に抗して拡開状に外側へ広がり、その後、内側向きに閉じるように弾性回復するためには、略水平状に配設される平板部に対して少なくとも直交状に下向き側縁成形部を折り下げておけばよいが、より確実な係合を目的として鉛直状から僅かに内側に向くように成形してもよい。
【００２２】
これらの山側外装板と谷側外装板とは、相互に係合させるが、面接触させて係合させることが好ましい。
ここで面接触させる構成とは、配設状態において、前記下ハゼ（の下向き折返し部分）と前記上ハゼ（の上向き折返し部分）とがほぼ等しい傾斜角度に配されるばかりでなく、弾性の作用により、相互に圧接状に取り付けられている状態を指す。そのため、予め下ハゼ（の下向き折返し部分）は斜め下方へ向かって弾性（反発）が作用するように成形し、また予め上ハゼ（の上向き折返し部分）は斜め上方へ向かって弾性（反発）が作用するように成形することにより、両者を面接触状に圧接させることができる。また、弾性は、面接触となる構成であれば、上ハゼと下ハゼとの少なくとも一方にあればよい。
【００２３】
また、その係合部分の下方に、上方が開放する空間が形成されていることが望ましい。
即ちこの空間とは、山側外装板の上ハゼに形成される隅部空間であり、その形状や大きさについては特に限定するものではなく、毛細管現象を防止するものであれば、どのようなものでもよい。
【００２４】
さらに、前記山側外装板の上ハゼには、上向き折返し部分として更に内側に折り返した山側当接面を設けてもよく、前記谷側外装板の下ハゼには、下向き折返し部分として更に内側に折り返した谷側当接面を設けてもよい。
即ち、上ハゼは、上向き折返し片のみで形成される構成でも、後述する図示実施例のように、上向き折返し片と山側当接面とからなる構成でもよく、下ハゼは、下向き折返し片のみで形成される構成でも、後述する図示実施例のように、下向き折返し片との先端を更に折り返した谷側当接面とからなる構成でもよい。このように山側当接面、谷側当接面は何れか一方のみを設けてもよいし、両方を設けてもよい。そのため、面接触は、上向き折返し片と下向き折返し片とが面接触する態様、上向き折返し片と谷側当接面とが面接触する態様、山側当接面と下向き折返し片とが面接触する態様、山側当接面と谷側当接面とが面接触する態様とが想定される。
【００２５】
この場合（＝上ハゼ又は下ハゼの何れか又は両方に当接面を設ける場合）、前述の面接触させるための構成を適宜に且つ容易に実施できる。
即ち例えば上ハゼが上向き折返し片のみで形成される場合には、上向き折返し片が面接触させる部分となるため、折り下げ片にも影響が生じてしまう。しかし、上ハゼが上向き折返し片と山側当接面とで形成される場合、山側当接面が面接触させる部分であるため、折り下げ片には殆ど影響なく、上向き折返し片に対して山側当接面が拡開する方向へ弾性反発するように成形すればよいため、成形が容易である。
【００２６】
また、この場合、前記係合部分の下方に、前述の上方が開放する空間を形成し易い。
即ち谷側当接面と山側当接面とが弾性的に面接触することになるため、係合部分自体の大きさが大きくなるため、毛細管現象が防止される大きさの空間を形成し易い。しかも、この場合の面接触は、相互にクッション性を有する面接触となるため、負圧作用時における上ハゼの上方への移動が確実に且つ容易になる。
【００２７】
また、その下端に下地への固定部を有する起立部と、該起立部の上端を外側へ折返した折返し部と、を有する保持部材を下地上に固定した場合には、前記谷側外装板の上向き側縁成形部の下向き折返し部分が前記保持部材の折返し部の内側に係合するように配設することにより、下向き折返し部分は安定に位置規制されるものとなり、この下向き折返し部分に対し、上側外装板の上向き折返し部分を安定に面接触させて係合できる。
このように保持部材を用いる場合には、保持部材に対する上ハゼ、下ハゼの係合を採用して取り付けているため、ビス穴からの雨水の浸入や毛細管現象による雨水の浸入を生ずることなく、施工性にも優れており、さらに負圧作用時の強度や水密性にも十分に配慮した外装構造である。
【００２８】
前記保持部材については、山側外装板の裏面側に配設されるものであって、その下端に下地への固定部を有する起立部と、該起立部の上端を外側へ折返した折返し部と、を有する構成である。この保持部材は、通し吊子と称される長尺材でもよいし、後述する図示実施例のようにピース材でもよい。
また、この保持部材への外装板の取付けについては、谷側外装板の下ハゼを、保持部材の折返し部の内側へ収容されるように直接的に係合させると共に、山側外装板の上ハゼの上端が、谷側外装板の下ハゼの下端に当接するように弾性的に係合すればよい。要するに谷側外装板は保持部材に対して直接的に係合させるものであり、山側外装板は、保持部材に対して間接的に、即ち谷側外装板を介して係合させるものである。
【００２９】
また、前記山側外装板の裏面には、断熱材を配設してもよく、別体を接着剤等にて一体的に固着してもよいし、バックアップ材として一体的に取り付けられるものでもよい。この場合、断熱機能が付与されることは説明するまでもないが、特に山側外装板を断熱材の表面上に載置した状態で安定に保持部材への配設を行うことができる。
このような断熱材は、パネルとしての強度を向上する効果をも奏する。
また、この断熱材としては、例えば合成樹脂製ボートに限らず木製ボードでもよく、また単層でも複層でもよく、異なる材質の複層構成でもよい。そのため、難燃性、不燃性等の機能性ボード材を用いてもよく、また厚み等についても何等制限がなく、どのような断熱材を用いてもよい。
【００３０】
本発明の効果について詳しく説明すると、上ハゼ、下ハゼの係合を採用しているため、従来のビス止め方式のようにビス自体を用いておらず、ビス穴自体が存在しないため、このビス穴からの雨水の浸入が生じない。また、従来のハゼ締め式のように毛細管現象による雨水の浸入を生ずることなく、施工に手間がかかる等の問題も生じない。
また、裏貼り材の弾性を利用して係合させる構成であるため、外装板同士が強固に且つ安定に取り付けられるものとなり、施工性にも優れている。
【００３１】
また、折返し部分を面接触させて係合した場合には、負圧がかかった際にも、山側外装板の上ハゼの先端が面接触を維持したまま（毛細管現象を防止した状態で）深く上方へ移動して谷側外装板の下ハゼと接近して接触するため、吹き込みが生ずる隙間がなくなり、吹き込みを防止でき、高い水密性を確保することができる。
さらに、この係合部分の下方に上方が開放する空間を形成した場合には、従来のハゼ締め方式のように毛細管現象にて雨水が浸入しない。即ち係合部分の下方に設けた上方が開放する空間が、毛細管現象を防止する上、該空間が排水路として機能し、万が一浸入した雨水もこの排水路にて流下させることができる。
また、負圧がかかった際にも、山側外装板の上ハゼの先端が下ハゼとの面接触を維持したまま（毛細管現象を防止した状態で）、深く上方へ移動して谷側外装板の下ハゼと接近して接触するため、吹き込みが生ずる隙間がなくなり、吹き込みを防止でき、高い水密性を確保することができる。
【００３２】
また、特に保持部材を山側外装板と谷側外装板との間に固定している構造では、下ハゼの下向き折返し部分が安定に位置規制することができ、この下向き折返し部分に対し、上側外装板の上ハゼを安定に面接触させて強固に係合させることができる。
【実施例】
【００３３】
図１に示す第１実施例の外装構造は、下地４上に、平板部１１，２１の左右側縁を同方向へ折り曲げ、更にその先端を内側に折り返して側縁成形部１２，１２、２２，２２を設けて山側外装板１、谷側外装板２とし、これらを交互に配置させることにより山部と谷部とが連続して形成される外装構造である。即ち前記山側外装板１の下向きの側縁成形部１２は、平板部１１の左右側縁を下向きに折り下げ、更にその下端を内側に折り返した上向き折返し部分１２４を有し、前記谷側外装板２の上向きの側縁成形部２２は、平板部２１の左右側縁を上向きに折り上げ、更にその上端を内側に折り返した下向き折返し部分２２４を有する構成である。そして、山側外装板１の平板部１１の裏面に弾性を有する裏貼り材１ｂを添設させると共に下向き側縁成形部１２の上向き折返し部分１２４を、谷側外装板２の上向き側縁成形部２２の下向き折返し部分２２４に係合させた構成である。
【００３４】
この第１実施例における山側外装板１は、略平坦状の平板部１１の左右側縁を折り下げ、更にその下端を内側に折り返して上ハゼ１２とした構成であり、前記平板部１１の裏面には、弾性を有する裏貼り材１ｂが添設されている。
より詳しくは、図２（ｂ）に示すように上ハゼ１２は、配設時に略垂直状に配される折り下げ片１２１と上向き折返し片１２２とその先端の内側に折り返した下向き片である山側当接面１２３とからなる。即ちこの第１実施例における上向き折返し部分１２４は、上向き折返し片１２２と山側当接面１２３とからなる。また、前記裏貼り材１ｂは、平板部１１の長さ方向に亘って略同一厚みに形成されている。
【００３５】
また、この第１実施例における谷側外装板２は、略平坦状の平板部２１の左右側縁を折り上げ、更にその上端を内側に折り返して下ハゼ２２とした構成である。より詳しくは、図２（ｂ）に示すように下ハゼ２２は、配設時に略垂直状に配される折り上げ片２２１と下向き折返し片２２２とその先端を内側に折り返した上向き片である山側当接面２２３とからなる。即ちこの第１実施例における下向き折返し部分２２４は、下向き折返し片２２２と谷側当接面２２３とからなる。また、前記平板部２１の裏面側には、略同一厚みの裏貼り材２ｂが添設されている。
【００３６】
そして、これらの山側外装板１及び谷側外装板２は、図２（ｃ）に示すように裏貼り材１ｂ，２ｂを配する方向が逆方向である以外は全く同一形状に金属素材を成形したものである。また、裏貼り材１ｂ，２ｂとしては、弾性及び気密性を有する硬質ウレタンフォームを用いることができる。
【００３７】
この第１実施例には、ピース材である保持部材３を前記山側外装板１の裏面側に配設している。
この保持部材３は、図２（ｃ）に示すように下端に下地４への固定部３１を有する起立部３２と、該起立部３２の上端を外側へ折返した折返し部３３と、を有する構成である。
前記固定部３１は、略水平状に延在し、凹部３１１に上方から固定具（二点鎖線にて示す）を打ち込んで下地４に固定する。
また、前記折返し部３３は、外側を向くように配設され、殆ど全ての図面では左側に向くように形成され、図３（ｂ）にて右方に配されている保持部材３では、折返し部３３は右側に向くように配設されている。
【００３８】
そして、これらの部材から構成される本発明の外装構造では、前記保持部材３への前記外装板１，２の取付けについては、図２（ｂ）に示すように谷側外装板２の下ハゼ２２を、保持部材３の折返し部３３の内側へ収容されるように係合させると共に、山側外装板１の上ハゼ１２を、下ハゼ２２に面接触させて係合する。即ち前述のように谷側外装板２は保持部材３に対して直接的に係合させ、山側外装板１は保持部材３に対して谷側外装板２を介して間接的に係合させるものである。
なお、この第１実施例では、前述のように上ハゼ１２は、折り下げ片１２１と上向きの折返し片１２２とその先端の内側に折り返した山側当接面１２３とからなり、下ハゼ２２は、折り上げ片２２１と下向きの折返し片２２２とその先端を内側に折り返した山側当接面２２３とからなる構成であるため、上ハゼ１２と下ハゼ２２との面接触は、具体的には山状当接面１２３と谷状当接面２２３との面接触である。
【００３９】
前記下地４は、図１では略一定厚みの野地材４ｃの表面に、防水シート材４ｂを敷設した構成であるが、図３（ｂ）に示すように野地材４ｃは駆体（Ｃ形鋼）４ｄ上に固定した構成であり、図２（ａ）では破線にて示している。
また、前記山側外装板１の裏面、即ち左右に隣接する前記谷側外装板２，２間には、断面略矩形状の断熱材５を配した構成とした。
【００４０】
このような各部材から構成される本発明の外装構造の施工手順を、以下に簡単に説明する。
まず、下地４上に、所定間隔にて前記構成の保持部材３を固定する。
この工程の際には、予め谷側外装板２の寸法に応じて保持部材３を取り付けるが、配設する谷側外装板２に折返し部３３が向くように保持部材３を配設し、その固定部３１には固定具３ｂを上方から打ち込んで下地４（躯体４ｄ）に固定する。
【００４１】
次に、前述のように下地４上に固定した保持部材３の折返し部３３に、前記構成の谷側外装板２の下ハゼ２２（の下向き折返し片２２２）を係合させて取り付ける。なお、この工程で、保持部材３，３の配設間隔に断熱材５を取り付けておくようにしてもよい。
この工程にて、谷側外装板２の配設は、隣接する保持部材３，３間に谷側外装板２を落とし込むように配設すればよい。
【００４２】
続いて山側外装板１を取り付けた谷側外装板２の上方に臨ませ、下方へ向かって押し下げるように係合させて取り付ける。この山側外装板１の配設に際し、断熱材５を抱き込むように同時に配設してもよいし、前述のように予め断熱材５のみを取り付けておくようにしてもよい。
【００４３】
この工程では、図１（ａ）左半に斜線ハッチングにて示すように山側外装板１を下方へ押圧するに伴って、山側外装板１が押し下げられ、裏貼り材１ｂが弾性に抗して薄肉化し、上ハゼ１２，１２（の上向き折返し片１２２，１２２）が、下ハゼ２１，２１（の下向き折返し片２２２，２２２）に当接しながら弾性に抗して外側へ拡開する。
ここで弾性に抗して行われる裏貼り材１ｂの薄肉化と、上ハゼ１２，１２の拡開とは、上向き折返し片１２２の上端が下ハゼ２１，２１の下向き折返し片２２２の下端を過ぎるまで行われ、図中に示した隙間Ｘを形成するまで行われる。
【００４４】
その後、弾性に抗して外側へ拡開していた上ハゼ１２（の上向き折返し片１２２）が斜線ハッチングで示すように内側へ弾性回復するため、最終的に上ハゼ１２の山状当接面１２３が下ハゼ２２の谷状当接面２２３に面接触して係合する。
【００４５】
このように施工される本発明の外装構造では、上ハゼ１２，１２及び下ハゼ２２，２２の係合を採用し、しかも裏貼り材１ｂの弾性を利用して係合させる構成であるため、施工性にも優れている。特に、ハゼ１２，２２同士を裏貼り材１ｂの弾性を利用して係合したので、外装板１，２同士が強固に且つ安定に取り付けられるものとなる。
このように山側外装板１を上方から下方へ押圧するだけの簡易な操作にて、弾性的に係合（嵌合）させて取り付けることができるため、施工性が極めて優れている。
【００４６】
続いて図４に基づいて、本発明の外装構造の施工性以外の効果を説明するが、前述の従来のビス止め方式の外装構造を示す図５（ａ），図６（ａ）、並びに従来のハゼ締め式の外装構造を示す図５（ｂ），図６（ｂ）と比較しながら説明する。
【００４７】
まず、図４（ａ）には前記第１実施例にて採用した「面接触」箇所にハッチングを施すと共に、図４（ａ），（ｃ）には上方が開放する空間１３にクロスハッチングを施した。また、図４（ｂ）には、その防水効果を示すため、想定される雨水の浸入経路を示した。
この図４（ｂ）に示すように、係合部分（１２３，２２３）の下方に上方が開放する空間１３を形成したので、該空間１３が毛細管現象を防止する上、該空間１３が排水路として機能し、万が一、浸入した雨水もこの排水路（１３）にて流下させることができる。
また、「面接触」とは、前述のように上ハゼ１２に形成した山側当接面１２３と下ハゼ２２に形成した谷側当接面２２３とが面接触して係合するものであり、従来のハゼ締め式のような密接状の係合が決して行われない構成である。
さらに、山側外装板１の裏面に取り付けた気密性を有する裏貼り材１ｂにより、風雨が吹き込む経路を塞いでいる。そのため、図中に点線で示す矢印のように、水が内部に浸入するためには、裏貼り材１ｂや下ハゼ２２を越えて吹き上げられなければならないため、防水性が高いものである。
【００４８】
これに対し、従来のビス止め方式や従来のハゼ締め式では、そのような毛細管現象を防止する空間１３が形成されず、同様の効果も奏しないことは図５（ａ），（ｂ）から明らかである。
即ち図５（ａ）には、従来のビス止め仕様を示したが、太線にて示すように山側外装板６の表面を伝う雨水Ｗが、この山側外装板６の側縁成形部６２と谷側外装板６'の側縁成形部６２'との重合部分に側方から打ち込んだ固定ビス７のビス穴から浸入してしまう。
また、図５（ｂ）には、従来のハゼ締め仕様を示したが、やはり太線にて示すように山側外装板８の表面を伝う雨水Ｗが、谷側外装板８'と吊子９とのハゼ締め部分から毛細管現象により内部に浸入してしまう。即ちこの仕様における係合は、図５（ｃ）に拡大して示すように上ハゼ８２に設けた上向き折返し片８２１と下ハゼ８３に設けた下向き折返し片８３１とが密接状に係合して吊子９の係合部９２に係合させているため、毛細管現象が生じ，内部への雨水の浸入を生じてしまう。
なお、これらの従来の仕様において、仮に止水性に優れたシール材を使用してビス穴やハゼ締め部の水密性を向上したとしても、シール材の経年劣化にて雨水の浸入が生じてしまう。
【００４９】
次に、図４（ｃ）に基づいて、本発明の外装構造の負圧作用時の防水性能について説明する。
図４（ｃ）に示すように吹き上げ風等に起因する負圧が作用すると、図中に白抜き矢印にて示すように通常は水平状の平板部１１，２１を上方へ引っ張り上げるような力（負圧）が作用し、上方に凸状に変形させる現象が生じる。その際、谷側外装板２の下ハゼ２２は負圧作用以前から保持部材３に当接しているため、山側外装板１の上ハゼ１２に上方へ引っ張られる力（負圧）が作用し、ハッチング矢印にて示すようにその山側当接面１２３が下ハゼ２２の谷側当接面２２３に当接しつつ上方へ滑るように引っ張り上げられ、山側当接面１２３と上向き折返し片１２２の上端が、谷側外装板２の折り上げ片２２１に当接する。また、上ハゼ１２の下方からの押圧により引き上げられる下ハゼ２２は、その上方に位置する裏貼り材１ｂを圧縮状に押圧する。
このように負圧作用時には、負圧が作用していない状態よりも上ハゼ１２と下ハゼ２２とがむしろ深く係合して外れ難くなる。
【００５０】
なお、山側外装板１と谷側外装板２とは同一形状に成形したので、前記上ハゼ１２の上方へ引っ張り上げられる挙動に伴い、山側外装板１の上ハゼ１２の折り下げ片１２１が、下ハゼ２２の谷側当接面２２３と下向き折返し片２２２の下端に当接する。
このようにハゼ１２，２２が縦壁（折り上げ片２２１，折り下げ片１２１）に接することで２つの独立した空間１３，２３が発生し、毛細管現象による水の侵入が防止される。
また、係合部分１２３，２２３の下方の空間１３は上方が塞がれ、一方、係合部分１２３，２２３の上方に位置する空間２３は負圧作用以前には下方が開放しているが、負圧が作用すると前述のように下方が塞がれ、隙間がなくなり、風雨の吹き込みが防止される。しかも、前述のように裏貼り材１ｂは、下ハゼ２２の下向き折返し片２２２から圧縮状に押圧されているので、水が内部に浸入する隙間がないため、極めて防水性が高い。
【００５１】
これに対し、図６（ａ）には、従来のビス止め仕様における負圧作用時を示しているが、ビス７自体の抜けは生じなくても、ビス７の直近の側縁成形部６２，６２'に変形が生じており、この状態では、所定の特性は得られない。
また、図６（ｂ）には、従来のハゼ締め仕様における負圧作用時を示しているが、ハゼ締めの一部が負圧による引っ張り作用で解除されており、しかも前述のように上ハゼ８２に設けた上向き折返し片８２１と下ハゼ８３に設けた下向き折返し片８３１とが密接状に係合して吊子９の係合部９２に係合しているため、毛細管現象が生じてしまうし、この状態では、到底所定の特性は得られない。
【００５２】
なお、前記図２（ｂ），（ｃ）には、前記第１実施例に用いた外装板１，２や保持部材３を示しているが、成形時の状態（＝組み付け前）ではなく、組み付け状態における各部材を示すものである。
また、前記図４（ｃ）にて説明したように、負圧が作用した際には、山側当接面１２３と上向き折返し片１２２の上端が、谷側外装板２の折り上げ片２２１に当接し、山側外装板１の折り下げ片１２１が、下ハゼ２２の谷側当接面２２３と下向き折返し片２２２との下端に当接するが、通常の敷設状態では、折り上げ片２２１と上向き折返し部分１２４、折下片１２１と下向き折返し部分２２４は、接触していない。即ち少なくとも折り下げ片２２１と上向き折返し片１２４が接触していないことで、通常時の雨水の吸い込みを防止することができる（開放した下向き空間となるため、吹きつけたられた雨水が溜まることなく自然に流下する）。
【符号の説明】
【００５３】
１  山側外装板
１１  平板部
１２  下向き側縁成形部（上ハゼ）
１２１  折り下げ片
１２２  上向き折返し片
１２３  山側当接面
１２４  上向き折返し部分
１３  上方が開放する空間
２  谷側外装板
２１  平板部
２２  上向き側縁成形部（下ハゼ）
２２１  折り上げ片
２２２  下向き折返し片
２２３  谷側当接面
２２４  下向き折返し部分
２３  下方が開放する空間
３  保持部材
３１  固定部
３２  起立部
３３  折返し部
４  下地
５  断熱材
６，６'  （ビス止め仕様の）外装板
７  固定ビス
８，８'  （ハゼ締め仕様の）外装板
８２  上ハゼ
８２１  上向き折返し片
８３  下ハゼ
８３１  下向き折返し片
９  吊子
９２  係合部
【図１】
0006504763.tif 000002
【図２】
0006504763.tif 000003
【図３】
0006504763.tif 000004
【図４】
0006504763.tif 000005
【図５】
0006504763.tif 000006
【図６】
0006504763.tif 000007